(57)【特許請求の範囲】
【請求項１】
基礎に固定された鉄骨構造体と、該鉄骨構造体に固定されて各階の外壁を形成する複数枚の外壁パネルと、から主要構造部が構成された鉄骨系住宅において、前記鉄骨構造体に開口部を有する開口フレームが固定されるとともに、開口フレームの開口部に臨む上下外面にそれぞれ窓上パネルおよび窓下パネルが固定され、窓上パネルの下端部には室外方向に一定長さ突出する庇部が形成され、窓下パネルの上端部には室外方向に向かって下り勾配の傾斜面が形成されるとともに室外方向に若干突出する水切り部が形成され、これらの窓上パネルおよび窓下パネルの内面側に位置してサッシユニットが開口フレームの開口部に固定され、サッシユニットの外面側周縁部が木口面を露出した窓上パネルおよび窓下パネルと、側端面を露出して窓上パネルおよび窓下パネルに隣接して固定された左右の外壁パネルとによって包囲されるとともに、これら窓上パネル、窓下パネルおよび左右の外壁パネルの露出された各端面に、外壁パネルの表面に加飾された模様と同様な加飾模様が形成されていることを特徴とする鉄骨系住宅の窓構造。
【発明の詳細な説明】
【０００１】
【発明の属する技術分野】
本発明は、鉄骨系住宅の窓構造に関するものである。
【０００２】
【従来の技術】
従来、基礎に固定された鉄骨構造体と、鉄骨構造体に固定されて各階の外壁を形成する複数枚の外壁パネルと、から主要構造部が構成された鉄骨系住宅が知られている。このような鉄骨系住宅に窓を設ける場合、鉄骨構造体に開口部を有する開口フレームを固定するとともに、外壁パネルに開口部を形成し、外壁パネルの開口部にサッシユニットを配置し、サッシユニットを固定金具を介して開口フレームに固定するようにしている。
【０００３】
【発明が解決しようとする課題】
しかしながら、前述した窓構造においては、サッシユニットの表面が外壁パネルの表面とほぼ同一面となるように配設されているため、立体感のない、意匠性の乏しい外観を呈するものとなっていた。
【０００４】
本発明は、このような問題点に鑑みてなされたものであり、外観意匠に優れた鉄骨系住宅の窓構造を提供するものである。
【０００５】
【課題を解決するための手段】
本発明は、基礎に固定された鉄骨構造体と、該鉄骨構造体に固定されて各階の外壁を形成する複数枚の外壁パネルと、から主要構造部が構成された鉄骨系住宅において、前記鉄骨構造体に開口部を有する開口フレームが固定されるとともに、開口フレームの開口部に臨む上下外面にそれぞれ窓上パネルおよび窓下パネルが固定され、窓上パネルの下端部には室外方向に一定長さ突出する庇部が形成され、窓下パネルの上端部には室外方向に向かって下り勾配の傾斜面が形成されるとともに室外方向に若干突出する水切り部が形成され、これらの窓上パネルおよび窓下パネルの内面側に位置してサッシユニットが開口フレームの開口部に固定され、サッシユニットの外面側周縁部が木口面を露出した窓上パネルおよび窓下パネルと、側端面を露出して窓上パネルおよび窓下パネルに隣接して固定された左右の外壁パネルとによって包囲されるとともに、これら窓上パネル、窓下パネルおよび左右の外壁パネルの露出された各端面に、外壁パネルの表面に加飾された模様と同様な加飾模様が形成されていることを特徴とするものである。
【０００６】
本発明によれば、鉄骨構造体に固定された開口フレームの外面側において、その開口部の上方、下方に臨んで窓上パネルおよび窓下パネルが固定され、また、これらの窓上パネルおよび窓下パネルに隣接して左右の外壁パネルが窓上パネルおよび窓下パネルと同一平面を形成するように鉄骨構造体に固定されている。これらの窓上パネルの下端木口面、窓下パネルの上端木口面および左右の外壁パネルの側端面はそのまま露出されている。そして、これらの窓上パネル、窓下パネルおよび左右の外壁パネルの内面側に位置してサッシユニットが開口フレームの開口部に固定される。この際、サッシユニットの外面側周縁部を窓上パネルの下端木口面、窓下パネルの上端木口面、左方の外壁パネルの右側端面、右方の外壁パネルの左側端面が包囲する。
【０００７】
この結果、開口フレームの開口部に固定されたサッシユニットの外面と窓上パネル、窓下パネルおよび左右の外壁パネルの各外面との間に窓上パネル、窓下パネルおよび左右の外壁パネルのの各厚みに相当する空間が形成されるとともに、この空間に臨んで窓上パネル、窓下パネルおよび左右の外壁パネルの各木口面および各側端面が露出されることから、窓上パネル、窓下パネルおよび左右の外壁パネルの厚みを強調することができる。また、窓上パネルの下端部には室外方向に一定長さ突出する庇部を形成し、窓下パネルの上端部には室外方向に向かって下り勾配の傾斜面を形成するとともに室外方向に若干突出する水切り部を形成し、窓上パネル、窓下パネルおよび左右の外壁パネルの、露出する端面に加飾模様を形成しているので、重厚感のある、優れた外観意匠の窓を形成することができる。
【０００８】
【発明の実施の形態】
以下、本発明の鉄骨系住宅の窓構造の実施の形態について図面を参照しつつ説明する。
【０００９】
図１乃至図３には、本発明の鉄骨系住宅の窓構造の一実施形態が示されている。
【００１０】
ここで、鉄骨系住宅は、詳細には図示しないが、基礎に固定された鉄骨構造体と、この鉄骨構造体に取り付けられた外壁パネルと、から主要構造部が構成されたものであり、鉄骨構造体としては、鉄骨柱および鉄骨梁、あるいは、壁軸組および鉄骨梁を組み合わせて形成され、また、外壁パネルとしては、ＡＬＣ板や押出成形セメント板などが採用される。
【００１１】
このような鉄骨系住宅に形成された窓１は、鉄骨構造体（図示せず）に固定された開口部２Ｘ（図２参照）を有する開口フレーム２と、この開口フレーム２の開口部２Ｘに臨んで開口フレーム２に固定された窓上パネル３Ｕおよび窓下パネル３Ｄと、これらの窓上パネル３Ｕおよび窓下パネル３Ｄに隣接して鉄骨構造体に固定された、鉄骨系住宅の主要構造部を構成する左右の外壁パネル３，３と、開口フレーム２の開口部２ｘに設けられたサッシユニット４と、から構成されている。
【００１２】
開口フレーム２は、断面略Ｃ字状のチャンネル材、例えば、溝形鋼からなる左右の縦桟２１Ｌ，２１Ｒと、上下の横桟２１Ｕ，２１Ｄと、からなり、開口をそれぞれ左右外面に向けた左右の縦桟２１Ｌ，２１Ｒの上方寄りおよび下方寄りに、開口を上方に向けた上横桟２１Ｕの両端部および開口を下方に向けた下横桟２１Ｄの両端部がそれぞれ溶接やボルトナットなどにより固定されて形成されている。したがって、開口フレーム２には、左右の縦桟２１Ｌ，２１Ｒおよび上下の横桟２１Ｕ，２１Ｄによって開口部２Ｘが開口されている。
【００１３】
なお、開口フレーム２を構成する左右の縦桟２１Ｌ，２１Ｒおよび上下の横桟２１Ｕ，２１Ｄには、後述するサッシユニット４を固定するため、開口部２Ｘに臨んで複数個の取付金具２２がそれぞれボルトナットを介して固定されるものである。
【００１４】
窓上パネル３Ｕ、窓下パネル３Ｄおよび左右の外壁パネル３，３は、いずれも押出成形セメント板で形成され、窓上パネル３Ｕおよび窓下パネル３Ｄは、前述した開口フレーム２の開口部２Ｘの上方外面および下方外面にそれぞれ固定されている。また、左右の外壁パネル３，３は、窓上パネル３Ｕおよび窓下パネル３Ｄを挟み込むように、鉄骨構造体にそれぞれ固定されている。そして、これらの窓上パネル３Ｕ、窓下パネル３Ｄおよび左右の外壁パネル３，３によって開口フレーム２の開口部２Ｘの外面側周囲が包囲されている。
【００１５】
ここで、窓上パネル３Ｕの下端部には、室外方向に一定長さ突出する庇部３１ｕが形成されている他、窓下パネル３Ｄの上端部には、室外方向に向かって下り勾配の傾斜面が形成されるとともに、室外方向に若干突出する水切り部３１ｄが形成されている。
【００１６】
なお、これらの窓上パネル３Ｕ、窓下パネル３Ｄおよび左右の外壁パネル３，３には、詳細には図示しないが、表面に加飾模様、例えば、縦方向および横方向にそれぞれ設定間隔をおいて形成された複数本の縦溝と横溝によって目地パターンが形成されている。
【００１７】
サッシユニット４は、スイングサッシで例示されており、左右の縦枠４１Ｌ，４１Ｒと、左右の縦枠４１Ｌ，４１Ｒの上端部および下端部にそれぞれ連結された上枠４１Ｕおよび下枠４１Ｄと、これらの左右の縦枠４１Ｌ，４１Ｒ、上枠４１Ｕおよび下枠４１Ｄによって形成された空間内において回動自在に配設されたガラス障子４２と、から構成されている。
【００１８】
なお、サッシユニット４の左右の縦枠４１Ｌ，４１Ｒ、上枠４１Ｕおよび下枠４１Ｄには、前述した開口フレーム２に固定するための取付用アタッチメント５Ｌ，５Ｒ，５Ｕ，５Ｄがそれぞれ一体に設けられている。
【００１９】
次に、このように構成された窓１を形成する手順について説明する。
【００２０】
まず、鉄骨構造体に開口フレーム２を固定した後、クレーンなどを利用して窓上パネル３Ｕおよび窓下パネル３Ｄを順次吊り上げ、開口フレーム２の、開口部２Ｘに臨む外面側上部および下部にそれぞれ固定する。すなわち、窓下パネル３Ｄを、その上端木口面（水切り部３１ｄの上端面）が開口フレーム２の開口部２Ｘの下方に臨むように、開口フレーム２の外面に配置した後、詳細には図示しないが、窓下パネル３Ｄの裏面側所定位置に設けられた係合金具を、開口フレーム２を構成する下横桟２１Ｄのリップ部および鉄骨構造体に設けた下部取付金具のリップ部に係合させ、係合金具を窓下パネル３Ｄに設けたナット金具に締結することにより、窓下パネル３Ｄを開口フレーム２に固定する。同様に、窓上パネル３Ｕを、その下端木口面（庇部３１ｕの下端面）が開口フレーム２の開口部２Ｘの上方に臨むように、開口フレーム２の外面に配置し、図示しない係合金具およびナット金具を利用して開口フレーム２に固定する。
【００２１】
左右の外壁パネル３，３についても、それらの右側端面および左側端面が前述した窓上パネル３Ｕおよび窓下パネル３Ｄの左右側端面に接合するとともに、それらの外面同士が連続する平面を形成するように配置した後、各外壁パネル３，３の裏面側所定位置に設けられた係合金具を、鉄骨構造体に設けた上部取付金具のリップ部および下部取付金具のリップ部に係合させ、係合金具を各外壁パネル３，３に設けたナット金具に締結することにより、各外壁パネル３，３を順次固定する。
【００２２】
開口フレーム２の開口部２Ｘの周囲を包囲するように、窓上パネル３Ｕ、窓下パネル３Ｄおよび左右の外壁パネル３，３をそれぞれ固定したならば、サッシユニット４を持ち上げ、室内側から開口フレーム２の開口部２Ｘに差し込み、その取付用アタッチメント５Ｄを開口フレーム２の下横桟２１Ｄ上に載置する。そして、下横桟２１Ｄに取付金具２２をボルトナットを介して固定した後、取付金具２２を通してサッシユニット４の下枠４１Ｄに設けた取付用アタッチメント５Ｄにビスを打ち込んで固定する。同様に、開口フレーム２を構成する上横桟２１Ｕおよび左右の縦桟２１Ｌ，２１Ｒにそれぞれ取付金具２２をボルトナットを介して固定し、各取付金具２２を通してそれぞれサッシユニット４の上枠４１Ｕおよび左右の縦枠４１Ｌ，４１Ｒに設けた取付用アタッチメント５Ｕ，５Ｌ，５Ｒにビスを打ち込んで固定することにより、サッシユニット４を開口フレーム２に固定する。
【００２３】
なお、窓上パネル３Ｕ、窓下パネル３Ｄおよび左右の外壁パネル３，３とサッシユニット４の上枠４１Ｕおよび左右の縦枠４１Ｌ，４１Ｒとの間には、シーリング材ｓを配設する。
【００２４】
ここに、サッシユニット４の外面は、前述した窓上パネル３Ｕ、窓下パネル３Ｄおよび左右の外壁パネル３，３の内面側に位置しており、結局、サッシユニット４の外面において、その周縁部を窓上パネル３Ｕの下端木口面（庇部３１ｕの下端面）、窓下パネル３Ｄの上端木口面（水切り部３１ｄの上端面）および左右の外壁パネル３，３の右左側端面が包囲するものである。
【００２５】
この結果、開口フレーム２の開口部２Ｘに固定されたサッシユニット４の外面と窓上パネル３Ｕ、窓下パネル３Ｄおよび左右の外壁パネル３，３の外面との間にこれらの窓上パネル３Ｕ、窓下パネル３Ｄおよび左右の外壁パネル３，３の厚みに相当する空間が形成されるとともに、この空間に臨んで窓上パネル３Ｕ、窓下パネル３Ｄおよび左右の外壁パネル３，３の各木口面および各側端面が露出されることから、窓上パネル３Ｕ、窓下パネル３Ｄおよび左右の外壁パネル３，３窓パネル３の厚みを強調することができ、重厚感のある、優れた外観意匠の窓１を形成することができる。
【００２６】
なお、前述した実施形態においては、庇部３１ｕを一体に有する窓上パネル３Ｕで例示したが、必ずしも窓上パネル３Ｕに庇部を設ける必要はなく、また、庇部を設ける場合においても、詳細には図示しないが、平板状の窓上パネルと、庇パネルとを別個に成形し、窓上パネルおよび庇パネルを各別に開口フレーム２に固定するようにしてもよい。
【００２７】
また、窓上パネル３Ｕ、窓下パネル３Ｄおよび左右の外壁パネル３，３の各木口面および各側端面が露出されることに伴い、それらの端面に、表面に形成された加飾模様と同様な加飾模様を形成することが好ましい。このように、窓上パネル３Ｕ、窓下パネル３Ｄおよび左右の外壁パネル３，３の、露出する端面に加飾模様を形成することにより、さらに意匠性を向上させることができる。
【００２８】
【発明の効果】
以上のように本発明によれば、開口フレームの開口部に固定されたサッシユニットの外面と窓上パネル、窓下パネルおよび左右の外壁パネルの各外面との間に窓上パネル、窓下パネルおよび左右の外壁パネルの各厚みに相当する空間が形成されるとともに、この空間に臨んで窓上パネル、窓下パネルおよび左右の外壁パネルの各木口面および各側端面が露出されることから、窓上パネル、窓下パネルおよび左右の外壁パネルの厚みを強調することができ、しかも、窓上パネルの下端部には室外方向に一定長さ突出する庇部を形成し、窓下パネルの上端部には室外方向に向かって下り勾配の傾斜面を形成するとともに室外方向に若干突出する水切り部を形成し、窓上パネル、窓下パネルおよび左右の外壁パネルの、露出する端面に加飾模様を形成しているので、重厚感のある、優れた外観意匠の窓を形成することができる。
【図面の簡単な説明】
【図１】本発明の鉄骨系住宅の窓構造を示す斜視図である。
【図２】図１の窓構造を一部省略して示す縦断面図である。
【図３】図１の窓構造を一部省略して示す横断面図である。
【符号の説明】
１  窓
２  開口フレーム
２Ｘ  開口部
３  外壁パネル
３Ｕ  窓上パネル
３Ｄ  窓下パネル
４  サッシユニット
【図１】
0003720253.tif 000002
【図２】
0003720253.tif 000003
【図３】
0003720253.tif 000004